(57)【要約】【課題】装置内に複数の分散補償器が搭載されている場合でも、簡素な構成で高精度に装置内の分散補償器の接続検証をしたい。【解決手段】前段光増幅器１１は、光信号を増幅して送出する。分散補償器２１は、前段光増幅器１１から送出される光信号の波長分散を補償する。後段光増幅器３１は、分散補償器２１から送出される光信号を受信する。接続検証部４０は、前段光増幅器１１から送出される光信号と、後段光増幅器３１により受信される光信号とを比較して、分散補償器２１が前段光増幅器１１と第１後段光増幅器３１との間に接続されているか否か検証する。【選択図】図３
2013179529.tif 000002
【特許請求の範囲】
【請求項１】
光信号を送出する前段光素子と、
前記前段光素子から送出される光信号の波長分散を補償する分散補償器と、
前記分散補償器から送出される光信号を受信する後段光素子と、
前記前段光素子から送出される光信号と、前記後段光素子により受信される光信号とを比較して、前記分散補償器が前記前段光素子と前記後段光素子との間に接続されているか否か検証する接続検証部と、
を備えることを特徴とする光伝送装置。
【請求項２】
前記接続検証部は、前記前段光素子に所定時間点灯または消灯させ、その点灯時間または消灯時間と、前記後段光素子により検出される点灯時間または消灯時間を比較し、その差が第１設定値以内であるとき検証成功と判定することを特徴とする請求項１に記載の光伝送装置。
【請求項３】
前記接続検証部は、前記前段光素子に点滅させ、その点滅の切り替わりタイミングと前記後段光素子により検出される点滅の切り替わりタイミングを比較し、その差が設定値以内であるとき検証成功と判定することを特徴とする請求項１に記載の光伝送装置。
【請求項４】
前記接続検証部は、前記前段光素子に、検証用データを含む光信号を送出させ、その検証データと前記後段光素子により受信される光信号に含まれる検証用データを比較し、その差が第３設定値以内であるとき検証成功と判定することを特徴とする請求項１に記載の光伝送装置。
【請求項５】
光信号を送出する第１前段光素子と、
前記第１前段光素子から送出される光信号の波長分散を補償する第１分散補償器と、
前記第１分散補償器から送出される光信号を受信する第１後段光素子と、
光信号を送出する第２前段光素子と、
前記第２前段光素子から送出される光信号の波長分散を補償する第２分散補償器と、
前記第２分散補償器から送出される光信号を受信する第２後段光素子と、
前記第１前段光素子および前記第２前段光素子からそれぞれ送出される光信号と、前記第１後段光素子および前記第２後段光素子によりそれぞれ受信される光信号とを比較して、前記第１分散補償器が前記第１前段光素子と前記第１後段光素子との間に接続されているか否か、または前記第２分散補償器が前記第２前段光素子と前記第２後段光素子との間に接続されているか否か、を検証する接続検証部と、
を備えることを特徴とする光伝送装置。
【請求項６】
前記接続検証部は、前記第１前段光素子に所定時間点灯または消灯させ、その点灯時間または消灯時間と、前記第１後段光素子により検出される点灯時間または消灯時間を比較し、その差が第１設定値以内であるとき検証成功と判定し、前記第２前段光素子に所定時間点灯または消灯させ、その点灯時間または消灯時間と、前記第２後段光素子により検出される点灯時間または消灯時間を比較し、その差が第２設定値以内であるとき検証成功と判定することを特徴とする請求項５に記載の光伝送装置。
【請求項７】
前記接続検証部は、前記第１前段光素子に所定の点滅パターンで点灯および消灯させ、前記第２前段光素子に前記点滅パターンと逆の点滅パターンで点灯および消灯させることを特徴とする請求項５または６に記載の光伝送装置。
【発明の詳細な説明】
【技術分野】
【０００１】
この発明は、装置内で使用される分散補償器を介した通信経路の接続検証機能が搭載された光伝送装置に関する。
【背景技術】
【０００２】
長距離光通信ネットワークにおいて光信号が光ファイバ伝播中に受ける波形歪みを補正するために分散補償器が使用される。分散補償器はパッシブデバイスであり、電源が不要であるため光受信レベルを確認する機能を搭載していないことが一般的である。したがって分散補償器の保守性を向上させるには、多くの場合において本来必要な機能に対して冗長な機能を付加する必要がある。また通信経路における分散補償器は単なる挿入損失の存在であり、分散補償器が搭載される該当装置内に存在する接続経路の一つでしかない。
【０００３】
同期伝送装置(例えばＳＤＨ／ＳＯＮＥＴに準拠した通信装置)では伝送フレームのオーバーヘッドバイトとしてセクショントレースバイト（Ｊ０  Ｂｙｔｅ）やパストレースバイト（Ｊ１  Ｂｙｔｅ）が定義されている。これらのオーバーヘッドバイトを使用することにより、分散補償器の接続検証を実現できる。しかしながら、自装置、装置間接続及び対向装置の各検証環境が整っている必要があり、装置内の接続検証用としてそれらの環境を整えるのは大掛かりであり非効率である。また、分散補償器の接続は該当装置を組み上げる際に行われる。したがって問題がある場合にはその場で正常な接続に修正できるほうが効率的であり、その該当装置内で接続検証が完結できることが望ましい。
【０００４】
特許文献１は分散補償器の識別及び接続性を判定する技術を開示する。特許文献１では分散補償器の光入力レベルと光出力レベルとの差から損失量を演算し、各分散補償器に関する挿入損失のデータベースと比較している。その比較結果をもとに、どの分散補償器が接続されているか判定し、接続性を検証している。
【先行技術文献】
【特許文献】
【０００５】
【特許文献１】特開２００８−２３６３１２号公報
【発明の概要】
【発明が解決しようとする課題】
【０００６】
特許文献１では、接続される分散補償器の損失量をもとに、想定される分散補償器を選定している。装置内に同程度の損失量を持った分散補償器が複数存在している場合、複数の分散補償器の損失量の差が明確でないため、誤接続を完全に検出することは難しい。
【０００７】
また、分散補償器では挿入損失が補償量毎に明確に分類されていることが必要である。補償量のステップが小さかったり、補償量に対する挿入損失の依存性が小さいと、用品毎の損失量に重複が発生するため識別自体が困難となる。
【０００８】
このように、判定される分散補償器の損失量について用品毎の分類に重複がないことが必須となるため、損失量のデータベースだけから接続検証するには前提条件が整っている必要がある。
【０００９】
本発明はこうした状況に鑑みてなされたものであり、その目的は、装置内に複数の分散補償器が搭載されている場合でも、簡素な構成で高精度に装置内の分散補償器の接続検証を行うことができる技術を提供することにある。
【課題を解決するための手段】
【００１０】
上記課題を解決するために、本発明のある態様の光伝送装置は、光信号を送出する前段光素子と、前記前段光素子から送出される光信号の波長分散を補償する分散補償器と、前記分散補償器から送出される光信号を受信する後段光素子と、前記前段光素子から送出される光信号と、前記後段光素子により受信される光信号とを比較して、前記分散補償器が前記前段光素子と前記後段光素子との間に接続されているか否か検証する接続検証部と、を備える。
【００１１】
この態様によると、オーバーヘッドバイドや挿入損失を参照せずに接続検証できる。
【００１２】
前記接続検証部は、前記前段光素子に所定時間点灯または消灯させ、その点灯時間または消灯時間と、前記後段光素子により検出される点灯時間または消灯時間を比較し、その差が第１設定値以内であるとき検証成功と判定してもよい。また、前記接続検証部は、前記前段光素子に点滅させ、その点滅の切り替わりタイミングと前記後段光素子により検出される点滅の切り替わりタイミングを比較し、その差が設定値以内であるとき検証成功と判定してもよい。また、前記接続検証部は、前記前段光素子に、検証用データを含む光信号を送出させ、その検証データと前記後段光素子により受信される光信号に含まれる検証用データを比較し、その差が第３設定値以内であるとき検証成功と判定してもよい。
【００１３】
本発明の別の態様もまた、光伝送装置である。この装置は、光信号を送出する第１前段光素子と、前記第１前段光素子から送出される光信号の波長分散を補償する第１分散補償器と、前記第１分散補償器から送出される光信号を受信する第１後段光素子と、光信号を送出する第２前段光素子と、前記第２前段光素子から送出される光信号の波長分散を補償する第２分散補償器と、前記第２分散補償器から送出される光信号を受信する第２後段光素子と、前記第１前段光素子および前記第２前段光素子からそれぞれ送出される光信号と、前記第１後段光素子および前記第２後段光素子によりそれぞれ受信される光信号とを比較して、前記第１分散補償器が前記第１前段光素子と前記第１後段光素子との間に接続されているか否か、または前記第２分散補償器が前記第２前段光素子と前記第２後段光素子との間に接続されているか否か、を検証する接続検証部と、を備える。
【００１４】
この態様によると、オーバーヘッドバイドや挿入損失を参照せずに接続検証できる。また第１分散補償器と第２分散補償器の挿入損失量が近い場合でも、高精度に接続検証できる。
【００１５】
前記接続検証部は、前記第１前段光素子に所定時間点灯または消灯させ、その点灯時間または消灯時間と、前記第１後段光素子により検出される点灯時間または消灯時間を比較し、その差が第１設定値以内であるとき検証成功と判定し、前記第２前段光素子に所定時間点灯または消灯させ、その点灯時間または消灯時間と、前記第２後段光素子により検出される点灯時間または消灯時間を比較し、その差が第２設定値以内であるとき検証成功と判定してもよい。
【００１６】
前記接続検証部は、前記第１前段光素子に所定の点滅パターンで点灯および消灯させ、前記第２前段光素子に前記点滅パターンと逆の点滅パターンで点灯および消灯させてもよい。これによると、２つの経路の接続検証を並行して行うことができる。
【発明の効果】
【００１７】
本発明によれば、装置内に複数の分散補償器が搭載されている場合でも、簡素な構成で高精度に装置内の分散補償器の接続検証を行うことができる。
【図面の簡単な説明】
【００１８】
【図１】現用系と予備系の２系統の回線を有する光中継器の基本構成を示す図である。
【図２】図２（ａ）、（ｂ）は、分散補償器の用品毎の挿入損失を規定したテーブルの一例を示す図である。
【図３】本発明の実施の形態に係る光中継装置の構成を示す図である。
【図４】送信側の光出力レベルと受信側の光入力レベルの関係を示す図である。
【図５】第１検証方式の一例を示す図である。
【図６】第２検証方式の一例を示す図である。
【図７】第３検証方式の一例を示す図である。
【発明を実施するための形態】
【００１９】
長距離光通信ネットワークでは光ファイバ伝送路での損失および分散を補償するために、光ファイバ伝送路中に光中継装置が設置されることが一般的である。光中継装置には保守点検やバックアップのために現用系と予備系の２系統の回線を有するものがある。
【００２０】
図１は、現用系と予備系の２系統の回線を有する光中継装置の基本構成を示す図である。当該光中継装置は、現用系として第１前段光増幅器１１、第１分散補償器２１、第１後段光増幅器３１を備え、予備系として第１分散補償器２１、第２分散補償器２２、第２後段光増幅器３２を備える。第１前段光増幅器１１と第１分散補償器２１、第１分散補償器２１と第１後段光増幅器３１との間は光中継装置内の光ファイバで接続される。同様に第１分散補償器２１と第２分散補償器２２、第２分散補償器２２と第２後段光増幅器３２との間も光中継装置内の光ファイバで接続される。
【００２１】
この光中継装置のセットアップ時に作業者が接続を誤り、上記以外の接続をしてしまうことがある。例えば第１前段光増幅器１１、第１分散補償器２１、第２後段光増幅器３２の順番で接続したり、第２前段光増幅器１２、第２分散補償器２２、第１後段光増幅器３１の順番で接続したりすることがある。この場合、光中継装置を信号が通らなくなってしまう。図１において矢印ａは正常接続を示している。矢印ｂは誤接続を示している。現用系と予備系の場合、第１分散補償器２１と第２分散補償器２２で同じ用品を使用することが多い。即ち第１分散補償器２１と第２分散補償器２２で挿入損失に差がないことが多い。したがって上述の挿入損失をもとに検証する手法では、接続誤りがあるか否かを正確に判定することは難しい。
【００２２】
図２（ａ）、（ｂ）は、分散補償器の用品毎の挿入損失を規定したテーブルの一例を示す。図２（ａ）は用品間で挿入損失の重複がない場合の例を示し、図２（ｂ）は用品間で挿入損失の重複がある場合の例を示す。例えば、検出される挿入損失が２．０［ｄＢ］の場合において図２（ａ）の例では用品をＡに一意に特定できるが、図２（ｂ）の例では用品がＡであるかＢであるか特定できない。このように挿入損失をもとに検証する手法では、用品間で挿入損失に重複があるとき用品を一意に特定することができない場合が発生する。
【００２３】
図３は、本発明の実施の形態に係る光中継装置１００の構成を示す図である。実施の形態に係る光中継装置１００は、第１前段光増幅器１１、第１分散補償器２１、第１後段光増幅器３１、第２前段光増幅器１２、第２分散補償器２２、第２後段光増幅器３２、接続検証部４０を備える。図１に示したように第１前段光増幅器１１、第１分散補償器２１、第１後段光増幅器３１が現用系で、第２前段光増幅器１２、第２分散補償器２２、第２後段光増幅器３２が予備系であってもよいし、両者はマルチ回線であってもよい。例えば前者が上り回線、後者が下り回線であってもよい。
【００２４】
第１前段光増幅器１１は光ファイバ伝送路で減衰した光信号を増幅する。第１前段光増幅器１１は増幅した光信号を第１分散補償器２１に送出する。第１分散補償器２１は、第１前段光増幅器１１から送出される光信号の、光ファイバ伝送路で発生した波長分散を補償する。第１分散補償器２１は分散補償した光信号を第１後段光増幅器３１に送出する。分散補償器にはＤＣＦ（Dispersion Compensation Fiber)やＶＩＰＡ（Virtually Imaged Phased Array）を用いることができる。
【００２５】
第１後段光増幅器３１は、第１分散補償器２１から送出される光信号を受信し、第１前段光増幅器１１での増幅不足や第１分散補償器２１での減衰を補うため、受信した光信号を増幅する。第１後段光増幅器３１は増幅した光信号を、後段の処理系または外部の光ファイバ伝送路に送出する。
【００２６】
第２前段光増幅器１２、第２分散補償器２２、第２後段光増幅器３２はそれぞれ第１前段光増幅器１１、第１分散補償器２１、第１後段光増幅器３１と同様であるため説明を省略する。
【００２７】
接続検証部４０は、第１前段光増幅器１１および第２前段光増幅器１２からそれぞれ送出される光信号と、第１後段光増幅器３１および第２後段光増幅器３２によりそれぞれ受信される光信号とを比較して、第１分散補償器２１が第１前段光増幅器１１と第１後段光増幅器３１との間に接続されているか否か、および第２分散補償器２２が第２前段光増幅器１２と第２後段光増幅器３２との間に接続されているか否か、を検証する。
【００２８】
接続検証部４０はタイミング制御部４１、比較判定部４２、経路情報保持部４３を含む。これらの構成は、ハードウエア的には、任意のプロセッサ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。なお接続検証部４０による接続検証の具体例は後述する。
【００２９】
図４は、送信側の光出力レベルと受信側の光入力レベルの関係を示す図である。本実施の形態では分散補償器を中心に、前段光増幅器を送信側、後段光増幅器を受信側と考える。送信側は出力規定範囲内の強度で光信号を送信する。受信側は入力規定範囲内の強度の光信号を受信する。送信側と受信側との間には分散補償器が挿入される。送信側から出力された光信号は当該分散補償器の挿入損失に応じて減衰する。送信側の出力規定範囲と受信側の入力規定範囲は、この分散補償器の減衰を考慮して設計される。即ち受信側の入力規定範囲の中心レベルは、送信側の出力規定範囲の中心レベルに対して、分散補償器の減衰分、下方にシフトされた位置に設定される。本実施の形態に係る接続検証では受信側は、入力規定範囲の光を検出したとき「１」と判定し、検出しないとき「０」と判定する。
【００３０】
以下、接続検証部４０による接続検証について具体的に説明する。本実施の形態では分散補償器を挟んだ送信側と受信側との間で、実際に光信号を送受信して、受信側で所定の光信号が検出されるか否かを判定する。一般的に、保守点検の観点から送信側の光出力部には発光と消灯を切替制御する機能が備わっており、受信側の光入力部には適正な光レベルの範囲内で受光しているか否か判定する機能が備わっている。これらの機能を用いて、送信側は特定のタイミングで発光または消灯し、受信側は特定のタイミングにおいて受光しているか否か判定する。これにより分散補償器の接続検証を行うことができる。光信号としては極めて低速な光強度変調を模した通信となるが、検証用の符号生成回路および復号回路を専用に設ける必要がないため、実現が容易である。
【００３１】
ある分散補償器が接続される通信経路を検証するための光信号の点灯／消灯タイミングは、他の分散補償器が接続される通信経路を検証するための光信号の点灯／消灯タイミングと排他的であればよい。この場合、各通信経路の接続検証を同時に実施することもできる。また点灯／消灯を１／０のデジタル値に読み替え、分散補償器が接続される経路毎に設定される特定の検証用データが、それぞれの受信側て受信されているか否か判定して接続検証することもできる。
【００３２】
接続検証を実施するタイミングとして、作業者が装置内接続を終えて経路情報保持部４３に回線設定の登録を完了した最初のタイミング、または経路情報保持部４３に回線設定の登録を終えて装置内接続が完了した最初のタイミングが挙げられる。
【００３３】
分散補償器が接続される経路について、前述のタイミングで経路情報保持部４３に、デバイス間の接続情報を含む経路情報が設定される。経路情報は光中継装置１００の仕様に応じて決定されている。各経路の受信側は、適正範囲内の光入力レベルを初めて検出したときに分散補償器の接続を認識できる。その後、その接続が正しいか否か検証を開始する。
【００３４】
本実施の形態では３つの検証方式を挙げる。まず第１検証方式では、タイミング制御部４１は第１前段光増幅器１１に所定時間、点灯または消灯するよう制御する。より具体的には所定の点灯時間と消灯時間が規定された点滅パターンに従い点灯および消灯するよう制御する。この点滅パターンは比較判定部４２にも設定する。
【００３５】
比較判定部４２は第１後段光増幅器３１から、検出される点灯時間または消灯時間を取得する。より具体的には検出される点滅パターンを取得する。比較判定部４２は、第１前段光増幅器１１に指示した点灯時間または消灯時間と、第１後段光増幅器３１により検出された点灯時間または消灯時間を比較照合する。両者の差が設定値以内であるとき検証成功と判定し、設定値を超えるとき検証失敗と判定する。当該設定値はゼロから最大許容時間までの範囲内の値に設定される。なお第１前段光増幅器１１に指示した点灯時間または消灯時間の開始時刻と、第１後段光増幅器３１により検出された点灯時間または消灯時間の開始時刻とが設定時間以上、離れている場合は両者の比較照合を中止する。
【００３６】
比較判定部４２は第２後段光増幅器３２からも、検出される点灯時間または消灯時間を取得し、第１前段光増幅器１１に指示した点灯時間または消灯時間と、第２後段光増幅器３２により検出された点灯時間または消灯時間を比較照合してもよい。この場合において第１前段光増幅器１１の出力と第１分散補償器２１の入力が接続されていれば、第１分散補償器２１の出力が第１後段光増幅器３１の入力に接続されているか、第２後段光増幅器３２の入力に接続されているか、いずれにも接続されていないかを判定できる。
【００３７】
また第１後段光増幅器３１とも第２後段光増幅器３２とも接続検証が成功しない場合、タイミング制御部４１は第２前段光増幅器１２に所定時間、点灯または消灯するよう制御する。この場合において第１後段光増幅器３１との接続検証が成功すれば、第２前段光増幅器１２の出力と第１分散補償器２１の入力が接続され第１分散補償器２１の出力と第１後段光増幅器３１の入力が接続されていると判定できる。同様に第２後段光増幅器３２との接続検証が成功すれば、第２前段光増幅器１２の出力と第１分散補償器２１の入力が接続され第１分散補償器２１の出力と第２後段光増幅器３２の入力が接続されていると判定できる。また第１後段光増幅器３１とも第２後段光増幅器３２とも接続検証が成功しない場合、デバイス自体の不具合を考慮しなければ、第１分散補償器２１の入力側および出力側の少なくとも一方がオープンであると判定できる。
【００３８】
以上、第１前段光増幅器１１と第１後段光増幅器３１との間に第１分散補償器２１が接続されているか否かを検証するための処理について説明したが、第２前段光増幅器１２と第２後段光増幅器３２との間に第２分散補償器２２が接続されているか否かを検証するための処理も同様であるため、その説明を省略する。
【００３９】
図５は、第１検証方式の一例を示す図である。比較判定部４２は、送信側で点灯される点灯時間Ｔａと受信側で検出される点灯時間Ｔａ、送信側で消灯される消灯時間Ｔｂと受信側で検出される消灯時間Ｔｂ、送信側で点灯される点灯時間Ｔｃと受信側で検出される点灯時間Ｔｃ、送信側で消灯される消灯時間Ｔｄと受信側で検出される消灯時間Ｔｄをそれぞれ比較する。なお比較する点灯期間および消灯期間の数は、設計者が任意に設定できる。複数の点灯期間および消灯期間で比較する場合、いくつの期間で照合が成功すれば、接続検証成功と判定するかも、設計者が任意に設定できる。
【００４０】
光中継装置１００内で対象経路が複数存在する場合において、順番に接続検証を行う場合には送信側の出力制御タイミングは１つの点滅パターンを繰り返し用いることができる。２つの対象経路で同時に接続検証を行う場合には送信側の出力制御タイミングは２つの点滅パターンを用いることになる。この場合、２つの点滅パターンは反対のタイミングの点滅パターンを使用する。即ち２つの点滅パターンは、一方が点灯（消灯）している場合に他方が消灯（点灯）しているパターンとなる。図３の構成ではタイミング制御部４１は、第１前段光増幅器１１に所定の点滅パターンで点灯および消灯させ、第２前段光増幅器１２に当該点滅パターンと逆の点滅パターンで点灯および消灯させる。
【００４１】
次に第２検証方式では、タイミング制御部４１は第１前段光増幅器１１に所定の切り替わりタイミングを持つ点滅パターンで点滅するよう制御する。この点滅パターンは比較判定部４２にも設定する。点滅の切り替わりタイミングには点灯から消灯への切り替わりタイミングと、消灯から点灯への切り替わりタイミングがある。
【００４２】
比較判定部４２は第１後段光増幅器３１から、検出される点滅の切り替わりタイミングを取得する。比較判定部４２は第１前段光増幅器１１に指示した点滅の切り替わりタイミングと、第１後段光増幅器３１により検出される点滅の切り替わりタイミングを比較照合する。両者の差が設定値以内であるとき検証成功と判定し、設定値を超えるとき検証失敗と判定する。
【００４３】
当該設定値は、接続検証部４０から第１前段光増幅器１１への制御信号の伝達、第１前段光増幅器１１での光信号の生成にかかる時間と、第１後段光増幅器３１での光信号の検出、第１後段光増幅器３１から接続検証部４０への検出信号の生成、伝達にかかる時間をもとに設定される。前者の時間と後者の時間が実質的に同じであれば、当該設定値はマージンを除けばゼロに設定される。通常は後者の時間のほうが長くなるため、当該設定値はその遅延時間とマージンを加算した時間に設定される。なお第１前段光増幅器１１から第１後段光増幅器３１への光信号の伝送時間は非常に小さいため無視して考えることができる。
【００４４】
比較判定部４２は第２後段光増幅器３２からも、検出される点滅の切り替わりタイミングを取得し、第１前段光増幅器１１に指示した点滅の切り替わりタイミングと、第２後段光増幅器３２により検出された点滅の切り替わりタイミングを比較照合してもよい。この場合において第１前段光増幅器１１の出力と第１分散補償器２１の入力が接続されていれば、第１分散補償器２１の出力が第１後段光増幅器３１の入力に接続されているか、第２後段光増幅器３２の入力に接続されているか、いずれにも接続されていないかを判定できる。
【００４５】
また第１後段光増幅器３１とも第２後段光増幅器３２とも接続検証が成功しない場合、タイミング制御部４１は第２前段光増幅器１２に所定の切り替わりタイミングを持つ点滅パターンで点滅するよう制御する。この場合において第１後段光増幅器３１との接続検証が成功すれば、第２前段光増幅器１２の出力と第１分散補償器２１の入力が接続され第１分散補償器２１の出力と第１後段光増幅器３１の入力が接続されていると判定できる。同様に第２後段光増幅器３２との接続検証が成功すれば、第２前段光増幅器１２の出力と第１分散補償器２１の入力が接続され第１分散補償器２１の出力と第２後段光増幅器３２の入力が接続されていると判定できる。また第１後段光増幅器３１とも第２後段光増幅器３２とも接続検証が成功しない場合、デバイス自体の不具合を考慮しなければ、第１分散補償器２１の入力側および出力側の少なくとも一方がオープンであると判定できる。
【００４６】
以上、第１前段光増幅器１１と第１後段光増幅器３１との間に第１分散補償器２１が接続されているか否かを検証するための処理について説明したが、第２前段光増幅器１２と第２後段光増幅器３２との間に第２分散補償器２２が接続されているか否かを検証するための処理も同様であるため、その説明を省略する。
【００４７】
図６は、第２検証方式の一例を示す図である。比較判定部４２は、送信側の消灯から点灯への切り替わりタイミングと受信側で検出される消灯から点灯への切り替わりタイミングとの差Ｔｚ、送信側の点灯から消灯への切り替わりタイミングと受信側で検出される点灯から消灯への切り替わりタイミングとの差Ｔｚをそれぞれ比較する。なお比較する切り替わりタイミングの数は、設計者が任意に設定できる。複数の切り替わりタイミングを比較する場合、いくつの切り替わりタイミングで照合が成功すれば、接続検証成功と判定するかも、設計者が任意に設定できる。
【００４８】
次に第３検証方式では、タイミング制御部４１は第１前段光増幅器１１に、検証用データを含む光信号を送出するよう制御する。この検証用データは比較判定部４２にも設定する。検証用データはデジタル値で規定され、第１前段光増幅器１１は検証用データが１のとき点灯し、０のとき消灯する。
【００４９】
比較判定部４２は第１後段光増幅器３１から、検出される光信号に含まれる検証用データを取得する。比較判定部４２は第１前段光増幅器１１に送出を指示した検証用データと、第１後段光増幅器３１により検出された検証用データを比較照合する。両者の差が設定値以内であるとき検証成功と判定し、設定値を超えるとき検証失敗と判定する。当該設定値は、ビット誤り率で規定されてもよい。具体的にはゼロから最大許容ビット誤り率までの範囲内の値に設定される。なお第１前段光増幅器１１に指示した検証用データの送出開始時刻と、第１後段光増幅器３１により検出される検証用データの受信開始時刻とが設定時間以上、離れている場合は両者の比較照合を中止する。
【００５０】
比較判定部４２は第２後段光増幅器３２からも、検出される検証用データを取得し、第１前段光増幅器１１に送出を指示した検証用データと、第２後段光増幅器３２により検出された検証用データを比較照合してもよい。この場合において第１前段光増幅器１１の出力と第１分散補償器２１の入力が接続されていれば、第１分散補償器２１の出力が第１後段光増幅器３１の入力に接続されているか、第２後段光増幅器３２の入力に接続されているか、いずれにも接続されていないかを判定できる。
【００５１】
また第１後段光増幅器３１とも第２後段光増幅器３２とも接続検証が成功しない場合、タイミング制御部４１は第２前段光増幅器１２に検証用データを含む光信号を送出するよう制御する。この場合において第１後段光増幅器３１との接続検証が成功すれば、第２前段光増幅器１２の出力と第１分散補償器２１の入力が接続され第１分散補償器２１の出力と第１後段光増幅器３１の入力が接続されていると判定できる。同様に第２後段光増幅器３２との接続検証が成功すれば、第２前段光増幅器１２の出力と第１分散補償器２１の入力が接続され第１分散補償器２１の出力と第２後段光増幅器３２の入力が接続されていると判定できる。また第１後段光増幅器３１とも第２後段光増幅器３２とも接続検証が成功しない場合、デバイス自体の不具合を考慮しなければ、第１分散補償器２１の入力側および出力側の少なくとも一方がオープンであると判定できる。
【００５２】
以上、第１前段光増幅器１１と第１後段光増幅器３１との間に第１分散補償器２１が接続されているか否かを検証するための処理について説明したが、第２前段光増幅器１２と第２後段光増幅器３２との間に第２分散補償器２２が接続されているか否かを検証するための処理も同様であるため、その説明を省略する。
【００５３】
なお第３検証方式において複数の対象経路を同時に接続検証するには、対象経路毎に異なる検証用データを使用する。当該検証用データには光中継装置１００の内外で管理用に使用されている、各対象経路の整理番号、実装位置情報などを使用できる。
【００５４】
図７は、第３検証方式の一例を示す図である。比較判定部４２は、送信側から送出される検証用データと受信側で検出される検証用データを比較する。図７に示す例では検証用データは（１１０１１１０１）２である。
【００５５】
接続検証が成功すると、比較判定部４２は接続検証完了フラグを図示しない経路情報保持部４３に記憶する。以降、通常動作による運用を開始する。運用開始後、必要に応じて接続検証完了フラグを解除して再度、接続検証シーケンスを実行してもよい。切替時間等の制限がなければ、信号断から回復時に毎回、接続検証シーケンスを実行してもよい。
【００５６】
以上説明したように本実施の形態によれば光中継装置１００内において、分散補償器の前段に設置される前段光増幅器から送出される光信号と、後段に設置される後段光増幅器で受信される光信号とを比較して接続検証することにより、光中継装置１００内で接続検証を完結させることができる。上述した伝送フレームのオーバーヘッドバイトを用いて接続検証する手法と比較し、簡素な構成で接続検証できる。また光中継装置１００内に、同一または近似する損失量の分散補償器が複数搭載される場合でも、上述した挿入損失を用いる手法と異なり、正確に接続検証できる。
【００５７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５８】
上述の実施の形態では分散補償器の接続検証を行う例を説明したが、分散補償器以外のパッシブデバイスの接続検証にも適用可能である。例えばパッシブデバイスとしてアッテネータ、ゲインイコライザ等が挙げられる。また分散補償器の前段の光素子および後段の光素子として光増幅器を用いる例を説明したが、光増幅器に限定されない。パッシブデバイスの前段の光素子は光信号を送出可能で、点灯または消灯を切り替え可能な構成を持つ素子であればよい。例えばＳＤＨ／ＳＯＮＥＴに準拠した光信号を送出する信号モジュールであってもよい。また後段の光素子は光信号を受信可能で、光の点滅を検出可能な構成を持つ素子であればよい。
【００５９】
また上述の実施の形態では光伝送装置の一例として光中継装置１００を挙げたが、送信装置または受信装置であってもよい。いずれの場合もパッシブデバイスの前段と後段に、上述の構成の光素子が設けられていればよい。また上述の実施の形態では光伝送装置が２回線を持つ例を説明したが、１回線または３回線以上を持つものでもよい。また上述の実施の形態ではパッシブデバイスの前段の光素子と後段の光素子の関係が１：１の例を説明したが、１：ｎ（ｎは２以上の整数）またはｎ（ｎは２以上の整数）：１であってもよい。
【符号の説明】
【００６０】
１００  光中継装置、  １１  第１前段光増幅器、  １２  第２前段光増幅器、  ２１  第１分散補償器、  ２２  第２分散補償器、  ３１  第１後段光増幅器、  ３２  第２後段光増幅器、  ４０  接続検証部、  ４１  タイミング制御部、  ４２  比較判定部、  ４３  経路情報保持部。
【図１】
2013179529.tif 000003
【図２】
2013179529.tif 000004
【図３】
2013179529.tif 000005
【図４】
2013179529.tif 000006
【図５】
2013179529.tif 000007
【図６】
2013179529.tif 000008
【図７】
2013179529.tif 000009